(57)【特許請求の範囲】
【請求項１】
下方に空気流入口、上方に空気流出口を有する、鉛直方向に配置された有天の霧化筒と、この霧化筒の前記空気流入口下に配置された水受皿と、前記霧化筒の天面から前記水受皿に向けて鉛直方向に配置された回転軸と、この回転軸の上下方向に所定間隔をおいて配置された複数の回転板と、これら複数の回転板のうち、上方の回転板上に水を供給する水供給手段と、これら複数の回転板間の前記霧化筒内面に設けた水捕集手段と、この水捕集手段により捕集した水を下方の回転板上に供給する捕集水供給手段と、前記霧化筒天面の上方に配置されたモータとを備え、前記霧化筒天面において、前記複数の回転板の外周より前記回転軸側は結露水の滴下エリアとし、前記回転軸から見て前記回転板の外周より外側は結露水の非滴下エリアとし、前記霧化筒天面の前記結露水の滴下エリアには、前記水受皿に向けて窪んだ凹部を形成した液体微細化ユニット。
【請求項２】
霧化筒天面の結露水の滴下エリアに形成した凹部の外底面には、第１の滴下部を設ける構成とした請求項１に記載の液体微細化ユニット。
【請求項３】
第１の滴下部は、上方の回転板の外周よりも回転軸側に配置した請求項２に記載の液体微細化ユニット。
【請求項４】
霧化筒天面の結露水の滴下エリアに形成した凹部の外底面には、第１の滴下部の回転軸側に上方の回転板に向けて突出する第２の滴下部を設ける構成とした請求項３に記載の液体微細化ユニット。
【請求項５】
第２の滴下部は、略円錐状に形成した請求項４に記載の液体微細化ユニット。
【請求項６】
霧化筒天面の結露水の滴下エリアに形成した凹部の外底面に複数の第２の滴下部を設ける構成とした請求項４または５に記載の液体微細化ユニット。
【請求項７】
複数の第２の滴下部は、回転軸を中心とする円弧状に配置する構成とした請求項６に記載の液体微細化ユニット。
【請求項８】
霧化筒天面の結露水の滴下エリアに形成した凹部の外底面は、回転軸に近づくにつれて上方の回転板側に傾斜する第１の傾斜面を有する構成とした請求項１から７のいずれか一つに記載の液体微細化ユニット。
【請求項９】
霧化筒天面の結露水の滴下エリアに形成した凹部の外底面には、上方の回転板に向けて階段状に突出する第３の滴下部を形成した請求項８に記載の液体微細化ユニット。
【請求項１０】
第３の滴下部は、霧化筒天面の結露水の滴下エリアに形成した凹部の外底面から上方の回転板に近づくにつれて徐々に径が小さくなる複数の円板を積層した形状に構成した請求項９に記載の液体微細化ユニット。
【請求項１１】
霧化筒天面の結露水の滴下エリアに形成した凹部内にモータを配置した請求項１から１０のいずれか一つに記載の液体微細化ユニット。
【請求項１２】
霧化筒天面の結露水の非滴下エリアと霧化筒天面の結露水の滴下エリアに形成した凹部外底面とを結ぶ第２の傾斜面を形成した請求項１から１１のいずれか一つに記載の液体微細化ユニット。
【請求項１３】
吸込口と排気口を有する本体ケースと、この本体ケース内の前記吸込口と前記排気口を結ぶ本体内風路に第１の加熱手段と送風機と請求項１から１２のいずれか一つに記載の液体微細化ユニットとを備えた液体微細化装置。
【請求項１４】
前記液体微細化ユニットの下流に第２の加熱手段を設けた請求項１３に記載の液体微細化装置。
【請求項１５】
請求項１３または１４に記載の液体微細化装置を、サウナ室の天井部に設けたサウナ装置。
【発明の詳細な説明】
【技術分野】
【０００１】
本発明は、液体微細化ユニットおよび液体微細化装置とそれを用いたサウナ装置に関するものである。
【背景技術】
【０００２】
例えば、サウナ装置に用いられる液体微細化ユニットおよび液体微細化装置の構造は、以下のようになっていた。
【０００３】
すなわち、鉛直方向に配置された有天の霧化筒と、この霧化筒下に配置された水受皿と、前記霧化筒の天面から前記水受皿に向けて鉛直方向に配置された回転軸と、この回転軸の上下方向に所定間隔をおいて配置された複数の回転板と、これら複数の回転板上に水を供給する水供給手段と、前記霧化筒天面の上方に配置されたモータとを備え、前記水供給手段は、回転する上方の回転板の上面に液体を供給し、円板状に薄く広がった液体を遠心力により外方に飛散させて微細化させ、発生した微細化水滴を霧化筒の外に搬送する構成となっていた（例えば下記特許文献１）。
【先行技術文献】
【特許文献】
【０００４】
【特許文献１】特開平４−１１８０６８号公報
【発明の概要】
【発明が解決しようとする課題】
【０００５】
上記従来例における課題は、排水経路の設置が必要になるということであった。
【０００６】
すなわち、回転板を回転させることで、その外周に飛散させた水の一部は、液体のまま霧化筒の内面を伝って下方に滴り落ち、これが霧化筒の下方に溜まるので、この溜まった水の排水経路が必要となるのである。
【０００７】
この排水経路は、サウナ室内において、天井部分から床まで延長されるので、工事が大変であるだけでなく、美観を損なうことにもなる。
【０００８】
そこで本発明は、排水経路を廃止することを目的とするものである。
【課題を解決するための手段】
【０００９】
そしてこの目的を達成するために本発明は、下方に空気流入口、上方に空気流出口を有する、鉛直方向に配置された有天の霧化筒と、この霧化筒の前記空気流入口下に配置された水受皿と、前記霧化筒の天面から前記水受皿に向けて鉛直方向に配置された回転軸と、この回転軸の上下方向に所定間隔をおいて配置された複数の回転板と、これら複数の回転板のうち、上方の回転板上に水を供給する水供給手段と、これら複数の回転板間の前記霧化筒内面に設けた水捕集手段と、この水捕集手段により捕集した水を下方の回転板上に供給する捕集水供給手段と、前記霧化筒天面の上方に配置されたモータとを備え、前記霧化筒天面において、前記複数の回転板の外周より前記回転軸側は結露水の滴下エリアとし、前記回転軸から見て前記回転板の外周より外側は結露水の非滴下エリアとし、前記霧化筒天面の前記結露水の滴下エリアには、前記水受皿に向けて窪んだ凹部を形成した構成とし、これにより上記目的を達成するものである。
【発明の効果】
【００１０】
以上のように本発明は、下方に空気流入口、上方に空気流出口を有する、鉛直方向に配置された有天の霧化筒と、この霧化筒の前記空気流入口下に配置された水受皿と、前記霧化筒の天面から前記水受皿に向けて鉛直方向に配置された回転軸と、この回転軸の上下方向に所定間隔をおいて配置された複数の回転板と、これら複数の回転板のうち、上方の回転板上に水を供給する水供給手段と、これら複数の回転板間の前記霧化筒内面に設けた水捕集手段と、この水捕集手段により捕集した水を下方の回転板上に供給する捕集水供給手段と、前記霧化筒天面の上方に配置されたモータとを備え、前記霧化筒天面において、前記複数の回転板の外周より前記回転軸側は結露水の滴下エリアとし、前記回転軸から見て前記回転板の外周より外側は結露水の非滴下エリアとし、前記霧化筒天面の前記結露水の滴下エリアには、前記水受皿に向けて窪んだ凹部を形成した構成としたので、排水経路を廃止することができる。
【００１１】
すなわち、本発明においては、回転軸の上下方向に、所定間隔をおいて配置した複数の回転板間の前記霧化筒内面に捕集水手段を設けるとともに、この捕集水手段により捕集した水を下方の回転板上に供給する捕集水供給手段を設けたので、霧化筒内面を伝って下方に滴る水は捕集水手段で捕集し、その後捕集水供給手段により下方の回転板上に供給し、再び下方の回転板で霧化できる。
【００１２】
このため、霧化筒の下方の水受皿に滴り落ちる水の量を極めて少なくすることができる。
【００１３】
また、本発明の送風機は、霧化筒の下方開口部から水受皿内を介して上方開口部に向けて送風する構成としたので、水受皿内に滴り落ちて残った極めて少量の水も、例えば、水の霧化運転後の乾燥運転等により、乾燥させることができる。
【００１４】
さらに、霧化筒天面において、複数の回転板の外周より回転軸側は結露水の滴下エリアとし、回転軸から見て複数の回転板の外周より外側は結露水の非滴下エリアとする構成としているので、霧化筒天面で結露した水滴を積極的に上方の回転板上に滴下させることができる一方、霧化筒天面で結露した水滴が水受皿に滴下して残水となるのを防ぐことが可能となる。
【００１５】
すなわち、複数の回転板により霧化された微細な水滴は、霧化筒の下方に設けた空気流入口から霧化筒の上方に設けた空気流出口へと搬送されるため、霧化筒の天面に微細な水滴が付着して結露しやすくなるが、霧化筒天面において、回転軸から見て前記回転板の外周より外側は結露水の非滴下エリアとする構成としたことにより、霧化筒天面において結露が発生したとしても、結露による水滴が複数の回転板と霧化筒の内壁面との隙間に滴下して水受皿に溜まるのを防ぐことができる。また、前記複数の回転板の外周より前記回転軸側は結露水の滴下エリアとしたことにより、霧化筒天面で結露した結露水を上方の回転板上に供給して再び霧化し、微細な水滴として外部へ搬送することができるので、結果として霧化筒内に溜まる残水を極力少なくすることができる。
【００１６】
そして、以上の結果として、従来必要であった排水経路の設置工事が不要となって工事性が良好となるだけでなく、サウナ室内の美観も保てるものとなる。
【図面の簡単な説明】
【００１７】
【図１】本発明の実施の形態１におけるサウナ装置の斜視図
【図２】同サウナ装置の断面図
【図３】（ａ）同微細化ユニットの図３（ｂ）のＡ−Ａ断面図（ｂ）同微細化ユニットの正面図
【図４】（ａ）本発明の実施の形態２における微細化ユニットの滴下エリアの拡大斜視図（ｂ）同微細化ユニットの断面図
【図５】（ａ）本発明の実施の形態３における微細化ユニットの滴下エリアの拡大斜視図（ｂ）同微細化ユニットの断面図
【図６】（ａ）本発明の実施の形態４における微細化ユニットの滴下エリアの拡大斜視図（ｂ）同微細化ユニットの断面図
【図７】（ａ）本発明の実施の形態５における微細化ユニットの滴下エリアの拡大斜視図（ｂ）同微細化ユニットの断面図
【図８】本発明の実施の形態６における微細化ユニットの断面図
【発明を実施するための形態】
【００１８】
以下、本発明の液体微細化ユニットおよびこのユニットを使用した液体微細化装置を、サウナ装置に適用した実施形態を図面を参照しながら説明する。
【００１９】
（実施の形態１）
図１は、本発明の実施の形態のサウナ装置の斜視図であり、この図１に示すように、サウナ室１の天井面２の上面側には、液体微細化装置３が取り付けられている。また、液体微細化装置３には図示していないガス湯沸かし器や電気温水器等の熱源からのパイプ２７および市水を供給する水道管を接続する構成としている。
【００２０】
液体微細化装置３は、図２に示すように、下面に吸込口４と排気口５を有する本体ケース６と、この本体ケース６内の吸込口４と排気口５とを結ぶ風路に設けた熱交換器７ａおよび送風機８と、この送風機８と排気口５との間に設けた液体微細化ユニット９とを備えた構成としている。そして、液体微細化ユニット９の下流には加熱手段として小型の熱交換器７ｂを設ける構成とし、その下流に本体ケース６の排気口５が図１のサウナ室１の天井排気口（図示せず）に連結されている。
【００２１】
すなわち、本体ケース６内には、吸込口４から熱交換器７ａ、送風機８、液体微細化ユニット９、熱交換器７ｂを順に経由して排気口５に至る風路を備えた構成としている。
【００２２】
加熱手段としての熱交換器７ａおよび熱交換器７ｂには、上述の熱源からのパイプ２７または市水を供給する水道管を接続し、温水（水）を循環させる構成としている。
【００２３】
つまり、サウナ室１の天井吸気口（図示せず）から、吸込口４を介して本体ケース６内に吸引された空気は、液体微細化ユニット９の上流側に配置されている大容量の熱交換器７ａで加熱後、送風機８により液体微細化ユニット９内に送風され、この液体微細化ユニット９から排出される空気は小型の熱交換器７ｂにより再加熱されて、排気口５からサウナ室１内に供給される構成となっている。
【００２４】
液体微細化ユニット９は、図２および図３に示すように、下方に空気流入口１０、上方に空気流出口１１を設けた有天の霧化筒１２を鉛直方向に配置した構成となっている。
【００２５】
図３に示すように、霧化筒１２の下端には、空気流入口１０下に水受皿１３を配置し、霧化筒１２内には、霧化筒１２の天面１４から水受皿１３に向けて鉛直方向に配置した回転軸１５と、この回転軸１５の上下方向に所定間隔をおいて配置された複数の回転板１６ａ〜１６ｃと、これら複数の回転板１６ａ〜１６ｃのうち、上方の回転板１６ａ上に水を供給する水供給手段１７とを備えている。
【００２６】
回転軸１５の上端は霧化筒１２の天面１４を貫通して、天面１４の上方に配置されたモータ１８と連結する構成とし、回転軸１５の下端は水受皿１３に向かって垂直方向に延びた構成としている。霧化筒１２の天面１４の構成と、この天面１４の上方に配置したモータ１８の配置については、後段で詳細に説明する。
【００２７】
複数の回転板１６ａ〜１６ｃは、親水性を有する樹脂で平板状に形成し、水供給手段１７は、上方の回転板１６ａ上面の中心付近に水を供給する構成としている。
【００２８】
本実施の形態１では、複数の回転板１６ａ〜１６ｃ間の霧化筒１２内面に、霧化筒１２内の水を捕集する水捕集手段として、上面が開口した環状の貯水部１９ａ、１９ｂを設けている。そして、この貯水部１９ａ、１９ｂにより捕集した水を下方の回転板１６ｂ、１６ｃ上に供給する捕集水供給手段として、雨樋状の水路２０ａ、水路２０ｂが設けられている。
【００２９】
本実施の形態１では、霧化筒１２の下方に設けた空気流入口１０の上流には図２に示す送風機８を連結する構成とし、水受皿１３の上端を霧化筒１２の下端と連結することにより、送風機８からの空気を空気流入口１０に強制的に流入させ、水受皿１３内を介して霧化筒１２内を下から上向きに、霧化筒１２の内壁と、複数の回転板１６ａ〜１６ｃおよび貯水部１９ａ、１９ｂならびに水路２０ａ、２０ｂとの隙間を通風する構成としている。
【００３０】
すなわち、図２に示す送風機８から、霧化筒１２の下方に設けた空気流入口１０と上方に設けた空気流出口１１との間を通風する風路が構成されることとなる。
【００３１】
次に霧化筒１２の天面１４の構成について説明する。
【００３２】
図３に示すように、霧化筒１２の天面１４において、複数の回転板１６ａ〜１６ｃの外周（図３（ａ）（ｂ）の点線Ｓ）より回転軸１５側は結露水の滴下エリア２１とし、回転軸１５から見て複数の回転板１６ａ〜１６ｃの外周（図３（ａ）（ｂ）の点線Ｓ）より外側は結露水の非滴下エリア２２としている。
【００３３】
ここでいう結露水の滴下エリア２１とは、霧化筒１２の天面１４で結露した水滴を積極的に下方に滴下させるエリアである。一方、結露水の非滴下エリア２２においては、霧化筒１２の天面１４で結露した水滴が下方に滴下しにくい構成となっている。
【００３４】
すなわち、図３（ｂ）に示すように、霧化筒１２の天面１４には、複数の回転板１６ａ〜１６ｃの外周（図３（ａ）（ｂ）の点線Ｓ）よりも回転軸１５側に、水受皿１３に向けて窪んだ凹部２３を形成し、この凹部２３の内部にモータ１８を配置した構成としている。
【００３５】
凹部２３は、回転軸１５を中心とする円形の外底面２４と、この外底面２４の外周縁から垂直方向に立ち上がる円筒状の壁面２５とにより一体に形成している。これにより、外底面２４の外周縁には、天面１４で結露した水を滴下させるための結露水の滴下部２６が構成されることとなる。
【００３６】
つまり、図３（ａ）（ｂ）に示すように、凹部２３の外底面２４の外周縁は、上方の回転板１６ａの外周（図３（ａ）（ｂ）の点線Ｓ）よりも回転軸１５側に位置しており、外底面２４の径Ｍは、上方の回転板１６ａの径Ｌよりも小さい構成となっているので、外底面２４の外周縁である結露水の滴下部２６も、上方の回転板１６ａの外周よりも回転軸１５側に位置している。
【００３７】
したがって、結露水の滴下エリア２１においては、天面１４で発生した結露水が凹部２３の壁面２５を介して下方に流れて、結露水の滴下部２６から回転板１６ａ上に滴下する構成となっている。
【００３８】
一方、霧化筒１２の天面１４の結露水の非滴下エリア２２は、段差や凹凸のない水平面に構成している。したがって、天面１４において、結露水の非滴下エリア２２、すなわち回転軸１５から見て複数の回転板１６ａ〜１６ｃの外周（図３（ａ）（ｂ）の点線Ｓ）より外側では、天面１４で発生した結露水が下方に滴下しにくい構成となっており、天面１４において発生した結露水が、複数の回転板１６ａ〜１６ｃと霧化筒１２の内壁面との隙間に滴下して水受皿１３に溜まるのを防ぐ構成としている。
【００３９】
以上のような構成において、次に動作を説明する。
【００４０】
図１のサウナ室１内において、サウナを使用する場合、まず、図示していないガス湯沸かし器や電気温水器等の熱源から、パイプ２７を介し、図２に示す熱交換器７ａに高温の温水が循環供給されて加熱運転状態となる。また、循環する温水の一部または水道管からの水は、図３に示す水供給手段１７へと供給される。水供給手段１７に供給される水は、極めて少量であって、この時点では、水供給手段１７から排出されていない。
【００４１】
図２に示す吸込口４を介して本体ケース６内に吸引された空気は、霧化筒１２の上流側に配置されている大容量の熱交換器７ａで加熱され、高温乾燥状態で送風機８により霧化筒１２の空気流入口１０に強制的に流入され、図３に示す水受皿１３を介して霧化筒１２内を下側から上向きに、霧化筒１２の内壁と複数の回転板１６ａ〜１６ｃおよび貯水部１９ａ、１９ｂならびに水路２０ａ、２０ｂとの隙間を通風し、空気流出口１１に向けて送風されている。
【００４２】
また、図３に示す霧化筒１２の天面１４上方に配置したモータ１８により回転軸１５は高速回転させており、その状態で、水供給手段１７により、上方の回転板１６ａ上に水が供給される。
【００４３】
すると、上方の回転板１６ａの外周から水が勢いよく飛散されて霧化され、また一部は霧化筒１２の内面に衝突して霧化され、この霧化された水は図２の送風機８によって霧化筒１２の空気流入口１０から空気流出口１１に向けて流れる温風に搬送され、熱交換器７ｂで再加熱後、図２に示す本体ケース６の排気口５を介して図１のサウナ室１の天井排気口（図示せず）からサウナ室１内に高温多湿の蒸気として供給される。
【００４４】
また、霧化筒１２の内面に衝突したが霧化されなかった水は、図３（ｂ）の貯水部１９ａにより捕集された後に雨樋状の水路２０ａを介して下方の回転板１６ｂ上に供給され、次に回転板１６ｂの外周から水が勢いよく飛散されて霧化され、また一部は前記霧化筒１２の内面に衝突して霧化され、この霧化された水は上記送風機８により、前記霧化筒１２の空気流入口１０から空気流出口１１に向けて流れる温風に搬送され、熱交換器７ｂで再加熱後、図２に示す本体ケース６の排気口５を介してサウナ室１の天井排気口（図示せず）からサウナ室１内に供給される。
【００４５】
以降この繰り返しが３段の回転板１６ａ〜１６ｃで行われ、十分な量の霧化された水が温風とともにサウナ室１内に供給されるのであるが、このような作用により、本実施の形態１では、霧化筒１２の下方へと滴り落ちる水の量を極めて少なくすることができる。
【００４６】
上記のサウナ運転中、空気流入口１０から霧化筒１２内へと送風された高温の空気は、霧化筒１２内での気化作用により、空気流出口１１に向けて上昇するにつれて温度が低下し、飽和水蒸気量が低下する。このため、回転板１６ａ〜１６ｃにより生成された微細水滴は、空気中ですべてが気化することなく、微細な水滴形状を維持したまま、霧化筒１２内に送風される空気により運搬される。この微細水滴が天面１４に次々と付着して凝集した水滴や、装置外気の影響を受けて温度が低下している天面１４表面で凝縮した水滴により、天面１４表面に結露水が発生することとなる。
【００４７】
このように霧化筒１２の天面１４で結露水が発生した場合、結露水の滴下エリア２１には複数の回転板１６ａ〜１６ｃの外周（図３（ａ）（ｂ）の点線Ｓ）より回転軸１５側に凹部２３を設ける構成としているので、天面１４の結露水の滴下エリア２１の、特に凹部２３の壁面２５で発生した結露水は、重力により下方へ流れ、凹部２３の外底面２４の外周縁である滴下部２６に集められる。
【００４８】
そして、滴下部２６は複数の回転板１６ａ〜１６ｃの外周（図３（ａ）（ｂ）の点線Ｓ）より回転軸１５側に配置されているので、滴下部２６に集められた結露水は、上方の回転板１６ａ上に滴下することとなる。
【００４９】
上方の回転板１６ａ上に滴下した結露水は、回転板１６ａの高速回転による遠心力で霧化されて微細な水滴となり、霧化筒１２内を上昇する空気と混じって、霧化筒１２の空気流出口１１へと搬送され、熱交換器７ｂで加熱された後に、本体ケース６の排気口５を介して、サウナ室１内へ蒸気として供給される。
【００５０】
一方、回転軸１５から見て回転板１６ａ〜１６ｃの外周（図３（ａ）（ｂ）の点線Ｓ）より外側は結露水の非滴下エリア２２とし、結露水が集まって滴下しやすい段差や凹凸を設けず、略水平面に構成している。さらに、上述のサウナ運転中、霧化筒１２内には空気流入口１０から空気流出口１１へと上昇気流が発生しているので、天面１４に対して下方から空気が送風されることによって、結露水が重力で下方に滴下するのを抑制している。
【００５１】
以上のように、サウナ運転中においては、霧化筒１２の天面１４において、結露水の滴下エリア２１では滴下部２６から上方の回転板１６ａへ結露水を積極的に滴下させる一方、結露水の非滴下エリア２２では結露水を下方に滴下させないように構成している。
【００５２】
そして、サウナ運転終了後には、霧化筒１２内部全体が濡れた状態となっているが、水供給手段１７からの給水を停止し、図２の熱交換器７ａと送風機８の運転を継続し、図３（ｂ）のモータ１８の回転駆動を継続する乾燥運転を行うことにより、霧化筒１２の内部を乾燥させることができる。
【００５３】
すなわち、この乾燥運転により、複数の回転板１６ａ〜１６ｃに付着した水は霧化されて、霧化筒１２内に送風される温風により搬送されてしまう。また、霧化筒１２内壁や天面１４に付着した微細水滴や結露水の大部分は、この送風運転により乾燥させることができる。そして、水受皿１３にわずかに残水が残ったとしても、下方に設けた空気流入口１０からの温風が水受皿１３の表面を通過することにより、水の気化を促進することができるので、十分に乾燥させることができる。
【００５４】
なお、このとき送風機８はサウナ運転時に比べて送風能力を低下させた状態で運転させる構成とすれば、貯水部１９ａ、１９ｂや水路２０ａ、２０ｂ部分から下方の回転板１６ｂ、１６ｃ上へと水が流れる状態で乾燥が継続され、この結果としてこの貯水部１９ａ、１９ｂや水路２０ａ、２０ｂ部分でのスケール形成が抑制され、その結果として、以降の水の遠心霧化作用を安定化させることができる。
【００５５】
以上のような構成と動作により、本実施の形態１においては、従来液体微細化装置をサウナ運転に利用する場合に必要であったサウナ室への排水経路の設置工事が不要となって工事性が良好となる。
【００５６】
つまり、上記構成と動作によれば、供給した水を３段の回転板１６ａ〜１６ｃによって霧化し、十分な量の霧化された水が蒸気としてサウナ室内に供給される一方、霧化筒１２の下方へと滴り落ちる水の量を極めて少なくすることができるので、排水処理が不要となり、サウナ室の美観を保つことが可能となる。
【００５７】
そして、霧化筒１２の天面１４で結露が発生した場合にも、霧化筒１２の天面１４において、複数の回転板１６ａ〜１６ｃの外周より回転軸１５側は結露水の滴下エリア２１としたことにより、結露水を上方の回転板１６ａ上に供給して再び霧化し、微細な水滴として外部へ搬送することができるので、結果として霧化筒１２内に溜まる残水を極力少なくすることができる。
【００５８】
すなわち、霧化筒１２の天面１４において、結露水の滴下エリア２１で発生した結露水は、凹部２３の壁面２５を伝って集まり、滴下部２６から上方の回転板１６ａ上に積極的に滴下させることができるので、発生した結露水が霧化筒１２の水受皿１３に滴下して残水が溜まるのを防ぐことができる。
【００５９】
そして、霧化筒１２の天面１４において、回転軸１５から見て複数の回転板１６ａ〜１６ｃの外周（図３（ａ）（ｂ）の点線Ｓ）より外側は結露水の非滴下エリア２２としたことにより、霧化筒１２の天面１４において結露が発生したとしても、結露水が複数の回転板１６ａ〜１６ｃと霧化筒１２の内壁面との隙間に滴下して水受皿１３に溜まるのを防ぐことができる。
【００６０】
また、霧化筒１２の天面１４の結露水の滴下エリア２１には、水受皿１３に向けて窪んだ凹部２３を形成したので、結露水は重力により凹部２３の壁面２５を伝って下方に流れ、結露水を確実に下方に滴下させることができる。
【００６１】
さらに、凹部２３の外底面２４の外周縁を滴下部２６としているので、壁面２５を伝って下方に流れた結露水を集めて、回転板１６ａの所定の位置に積極的に滴下させることができる。
【００６２】
そして、滴下部２６は、上方の回転板１６ａの外周（図３（ａ）（ｂ）の点線Ｓ）よりも回転軸１５側に配置したこととなるので、結露水が複数の回転板１６ａ〜１６ｃと霧化筒１２の内壁との隙間に滴下することがなく、上方の回転板１６ａの上面に滴下させて霧化することができる。
【００６３】
なお、凹部２３内にモータ１８を配置したことにより、液体微細化ユニット９の高さを抑えることができるので、液体微細化装置３全体を小型化することができる。
【００６４】
また、液体微細化ユニット９の上流側に加熱手段として大型の熱交換器７ａを備えるとともに、液体微細化ユニット９の下流には小型の熱交換器７ｂを備える構成としたので、霧化筒１２内での気化作用により温度の低下した空気を再加熱することができ、サウナ室１へ十分な高温多湿の上記を供給することができるので、その結果としてサウナとしての快適性を高めることができる。
【００６５】
（実施の形態２）
以下、本発明の実施の形態２について、図４（ａ）（ｂ）を参照しながら説明する。実施の形態１の構成と同一の構成については、同一の符号を参照し、その説明を簡略化する。
【００６６】
図４（ａ）（ｂ）において、実施の形態１と相違する点は、霧化筒１２の天面１４の結露水の滴下エリア２１に形成した凹部２３の外底面２４には、この外底面２４の外周縁である滴下部２６より回転軸１５側に、上方の回転板１６ａに向けて突出する滴下部２８を設ける構成とした点である。
【００６７】
以上のような構成により、霧化筒１２の天面１４における結露水の滴下エリア２１において、凹部２３の壁面２５で発生した結露水を、重力により滴下部２６に集めて、上方の回転板１６ａの上面に滴下させることができるだけでなく、凹部２３の外底面２４の表面で発生した結露水を滴下部２８に集めて、上方の回転板１６ａに滴下させることができる。
【００６８】
このように、滴下部２８は、上方の回転板１６ａに向けて突出する構成としているので、上方の回転板１６ａとの距離が近づくため、下方から上方へと上昇する送風の影響を受けにくく、結露水を確実に上方の回転板１６ａ上に滴下させることができる。
【００６９】
また、本実施の形態２においては、凹部２３の外底面２４は、凹部２３の外周縁から滴下部２８へ向かって、すなわち凹部２３の中心を貫通する回転軸１５へと向かって略円錐状の傾斜面２９としている。
【００７０】
つまり、図４（ａ）のように、霧化筒１２天面１４の結露水の滴下エリア２１において、凹部２３の外底面２４には回転軸１５に近づくにつれて上方の回転板１６ａ側に傾斜する傾斜面２９を有する構成としたので、凹部２３の外底面２４で発生した結露水は、傾斜面２９上を回転軸１５方向へと流れ、滴下部２８に集められて、回転板１６ａ上に積極的に滴下させることができる。
【００７１】
さらに、本実施の形態２では、回転板１６ａに向けて突出する滴下部２８は回転軸１５付近に配置しているため、結露水を上方の回転板１６ａの中心付近に滴下させることができ、その結果として、結露水を高速回転する回転板１６ａの遠心力により十分に霧化することができる。
【００７２】
（実施の形態３）
以下、本発明の実施の形態３について、図５（ａ）（ｂ）を参照しながら説明する。実施の形態１の構成と同一の構成については、同一の符号を参照し、その説明を簡略化する。
【００７３】
図５において、実施の形態１と相違する点は、霧化筒１２の天面１４において、結露水の滴下エリア２１に形成した凹部２３の外底面２４に、この外底面２４の外周縁である滴下部２６より回転軸１５側に上方の回転板１６ａに向けて突出する複数の滴下部３０を設ける構成とした点である。
【００７４】
このように構成すると、凹部２３の外底面２４の表面に付着した微細な水滴は気化しやすくなる一方、結露して比較的大きい水滴に成長した結露水は、複数の滴下部３０それぞれに集められて積極的に回転板１６ａ上に滴下させることができる。
【００７５】
すなわち、凹部２３の外底面２４全体に上方の回転板１６ａに向けて突出する複数の滴下部３０を設ける構成としたので、霧化筒１２の下方から回転板１６ａの上方を通過し、上方の空気流出口１１へと流れる空気が複数の滴下部３０と接触する表面積が大きくなり、滴下部３０の表面に付着した微細水滴は空気と接触して気化しやすくなっている。一方、滴下部３０の表面に付着した比較的大きな水滴は、重力により複数の滴下部３０の先端部分に集まるので、上方の回転板１６ａに積極的に滴下させて、霧化させることができる。
【００７６】
（実施の形態４）
以下、本発明の実施の形態４について、図６（ａ）（ｂ）を参照しながら説明する。実施の形態１の構成と同一の構成については、同一の符号を参照し、その説明を簡略化する。
【００７７】
図６において、実施の形態１と相違する点は、霧化筒１２の天面１４の結露水の滴下エリア２１に形成した凹部２３の外底面２４に、この外底面２４の外周縁である滴下部２６より回転軸１５側に上方の回転板１６ａに向けて突出する複数の滴下部３１を設ける構成とし、この複数の滴下部３１は、回転軸１５を中心とする円弧状に配置する構成とした点である。
【００７８】
このように構成すると、凹部２３の外底面２４で発生した結露水を、回転軸１５を中心とする円弧状に配置した複数の滴下部３１で集めることができるので、上方の回転板１６ａ上に効率良く滴下させることができる。
【００７９】
すなわち、凹部２３の外底面２４に、上方の回転板１６ａに向けて突出する複数の滴下部３１を、回転軸１５を中心とする円弧状に配置する構成としたので、回転板１６ａの上方を流れる空気が複数の滴下部３１と接触する表面積が大きくなり、滴下部３１の表面に付着した微細水滴や結露水が気化しやすくなるだけでなく、複数の滴下部３１の先端部分から回転板１６ａへ滴下する結露水を、回転軸１５から見て外周方向の一定の位置に滴下させることができるので、回転板１６ａの高速回転による水の遠心霧化作用を安定させることができる。
【００８０】
なお、図６（ａ）（ｂ）に示すように、凹部２３の外底面２４は、回転軸１５に近づくにつれて上方の回転板１６ａ側に傾斜する傾斜面に形成している。すなわち、外周縁である滴下部２６から複数の滴下部３１に向かって下方に傾斜させる形状としているので、凹部２３の壁面２５を下方に流れて滴下部２６に集まった結露水の一部は、下方に傾斜する外底面２４を複数の滴下部３１方向へ流れていく。この結果、凹部２３で発生した結露水は、複数の滴下部３１に集まるので、上段のとおり上方の回転板１６ａ上の回転軸１５から一定の位置に滴下させて、水の遠心霧化作用を安定させることができる。
【００８１】
（実施の形態５）
以下、本発明の実施の形態５について、図７（ａ）（ｂ）を参照しながら説明する。実施の形態１の構成と同一の構成については、同一の符号を参照し、その説明を簡略化する。
【００８２】
図７において、実施の形態１と相違する点は、霧化筒１２の天面１４の結露水の滴下エリア２１に形成した凹部２３の外底面２４に、上方の回転板１６ａに向けて階段状に突出する滴下部３２を形成した点である。
【００８３】
このように構成すると、凹部２３の外底面２４で発生した結露水は、上方の回転板１６ａに向けて階段状に突出する滴下部３２の段差部分から、上方の回転板１６ａ上に積極的に滴下させることができる。
【００８４】
さらに、本実施の形態５においては、図７（ａ）（ｂ）に示すように、上方の回転板１６ａに向けて階段状に突出する滴下部３２は、上方の回転板１６ａに近づくにつれて徐々に径が小さくなる複数の円板３３〜３５を積層した形状に構成している。
【００８５】
このように構成すると、結露水の滴下エリア２１に形成した凹部２３の外底面２４で発生した結露水は、複数の円板３３〜３５の段差部分から、回転板１６ａ上の回転軸１５から見て外周方向の所定の位置に滴下させることができるので、回転板１６ａの高速回転による水の遠心霧化作用を安定させることができる。
【００８６】
そして、図７（ｂ）に示すように、滴下部３２は、上方の回転板１６ａに近づくにつれて徐々に径が小さくなる三段の円板３３〜３５はそれぞれ、回転板１６ａに対向する面を各円板の中心部に向かって下方に、すなわち回転板１６ａ側に傾斜させた形状に構成としている。
【００８７】
このため、結露水の滴下エリア２１に形成した凹部２３において発生した結露水の一部が滴下部２６から滴下し、残りの結露水は下方に傾斜する外底面２４を中心方向に伝わり、径が最も大きい円板３３との段差部分まで流れていき、この段差部分から回転板１６ａ上に滴下させることができる。同様に、円板３３の段差部分で下方に滴下しない結露水は、円板３３の傾斜面を中心に向かって、つまり回転軸１５方向に流れ、円板３４との段差部分から下方へ滴下させることができる。同様に、円板３４と最も径の小さい円板３５との段差部分においても結露水を回転板１６ａ上に滴下させることができることとなる。
【００８８】
以上に述べたように、霧化筒１２の天面１４の結露水の滴下エリア２１に形成した凹部２３の外底面２４に、上方の回転板１６ａに向けて階段状に突出する滴下部３２を形成したことにより、上方の回転板１６ａ上の回転軸１５から見て外周方向に所定の位置に滴下させて、水の遠心霧化作用を安定させることができる。
【００８９】
（実施の形態６）
以下、本発明の実施の形態６について、図８を参照しながら説明する。実施の形態１の構成と同一の構成については、同一の符号を参照し、その説明を簡略化する。
【００９０】
図８において、実施の形態１と相違する点は、霧化筒１２の天面１４において、結露水の非滴下エリア２２と結露水の滴下エリア２１に形成した凹部３６の外底面３７とを結ぶ傾斜面３８を形成し、凹部３６内にモータ１８を配置した点である。
【００９１】
このような構成により、結露水の非滴下エリア２２で発生した結露水を、傾斜面３８によって結露水の滴下エリア２１に設けた凹部３６の外底面３７へと集めることができるので、結露水の非滴下エリア２２で発生した結露水が、霧化筒１２の内壁と複数の回転板１６ａ〜１６ｃおよび貯水部１９ａ、１９ｂ、ならびに水路２０ａ、２０ｂとの隙間から、水受皿１３へと滴下することを極力防ぐことができる。
【００９２】
そして、霧化筒１２の天面１４において、結露水の非滴下エリア２２で発生した結露は、ほぼすべて結露水の滴下エリア２１に設けた凹部３６の外底面３７に集めて、外底面３７の外周縁である滴下部３９から回転板１６ａの上面に確実に滴下させることができる。
【００９３】
なお、本実施の形態において、凹部３６の外底面３７は平面状に構成しているが、この外底面３７で発生した結露水を回転板１６ａの上面に滴下させるための滴下部をさらに設ける構成とすることにより、凹部３６の外底面３７で発生した結露水を回転板１６ａ上に積極的に滴下させて確実に霧化することができるので、さらにサウナ運転のための水の霧化作用の効果を向上することができる。
【産業上の利用可能性】
【００９４】
以上のように本発明は、下方に空気流入口、上方に空気流出口を有する、鉛直方向に配置された有天の霧化筒と、この霧化筒の前記空気流入口下に配置された水受皿と、前記霧化筒の天面から前記水受皿に向けて鉛直方向に配置された回転軸と、この回転軸の上下方向に所定間隔をおいて配置された複数の回転板と、これら複数の回転板のうち、上方の回転板上に水を供給する水供給手段と、これら複数の回転板間の前記霧化筒内面に設けた水捕集手段と、この水捕集手段により捕集した水を下方の回転板上に供給する捕集水供給手段と、前記霧化筒天面の上方に配置されたモータとを備え、前記霧化筒天面において、前記複数の回転板の外周より前記回転軸側は結露水の滴下エリアとし、前記回転軸から見て前記回転板の外周より外側は結露水の非滴下エリアとする構成としたので、排水経路を廃止することができる。
【００９５】
また、従来必要であった排水経路の設置工事が不要となって工事性が良好となるだけでなく、サウナ室内の美観も保てるものとなる。
【符号の説明】
【００９６】
１    サウナ室
３    液体微細化装置
４    吸込口
５    排気口
６    本体ケース
７ａ，７ｂ  熱交換器
８    送風機
９    液体微細化ユニット
１０  空気流入口
１１  空気流出口
１２  霧化筒
１３  水受皿
１４  天面
１５  回転軸
１６ａ、１６ｂ、１６ｃ  回転板
１７  水供給手段
１８  モータ
１９ａ、１９ｂ  貯水部
２０ａ、２０ｂ  水路
２１  結露水の滴下エリア
２２  結露水の非滴下エリア
２３  凹部
２４  外底面
２５  壁面
２６、２８、３０、３１、３２、３９  滴下部
２９  傾斜面
３３、３４，３５  円板
３６  凹部
３７  外底面
３８  傾斜面
【図１】
0005568998.tif 000002
【図２】
0005568998.tif 000003
【図３】
0005568998.tif 000004
【図４】
0005568998.tif 000005
【図５】
0005568998.tif 000006
【図６】
0005568998.tif 000007
【図７】
0005568998.tif 000008
【図８】
0005568998.tif 000009